(57)【要約】【課題】当りへの期待感を持続させる。【解決手段】センター役物の内部に、クルーン１０を設ける。クルーン１０の外周面に、第１〜第３貯留凹部１０ａ〜１０ｃを形成する。センター役物の内部に、案内通路３０ａが形成された球案内レール３０を設ける。案内通路３０ａの下流側に当り口３１を形成する。クルーン１０が第１貯留位置に位置するときには、センター役物の内部に入った先行するパチンコ球７は、第１貯留凹部１０ａに貯留される。先行するパチンコ球７が、第１貯留凹部１０ａに貯留され、且つ、クルーン１０が第１貯留位置に位置するときには、センター役物の内部に入った後続するパチンコ球７は、第１貯留凹部１０ａに貯留された先行するパチンコ球７に当たって跳ねて、当り口に入賞する。【選択図】図９
2008245900.tif 000002
【特許請求の範囲】
【請求項１】
遊技領域に向けて遊技球を発射する球発射装置と、前記遊技領域に設けられ、前記遊技領域を流下する前記遊技球が導入される役物と、前記役物内に設けられ、前記役物内に導入された前記遊技球が入る当り口と、前記遊技球が前記当り口に入ったことに応答して、通常モードから前記通常モードよりも有利な当りモードに移行させるモード制御手段とを備えた遊技機において、
前記役物内に設けられ、前記役物内に導入された遊技球を前記当り口に向けて案内する案内通路と、
前記役物内に回転自在に設けられ、外周面が前記案内通路の一部を構成する回転体と、
前記回転体を回転させる駆動手段と、
前記回転体の外周面に形成され、前記回転体に向けて案内される遊技球を貯留するとともに、前記遊技球を貯留しているときに前記回転体に向けて案内される後続の遊技球が前記貯留した遊技球に当接して前記当り口に向けて案内されるように形成された貯留凹部と、
前記駆動手段を制御する駆動制御手段と、を備えたことを特徴とする遊技機。
【請求項２】
前記駆動制御手段は、前記回転体を、前記回転体に向けて案内される遊技球を前記貯留凹部が貯留する貯留位置と、前記回転体に向けて案内される遊技球を前記貯留凹部が貯留しない非貯留位置との間で回転させるように前記駆動手段を制御することを特徴とする請求項１記載の遊技機。
【請求項３】
前記貯留凹部に貯留した遊技球が回収される回収口を備え、
前記駆動制御手段は、前記回転体を、前記貯留凹部に貯留した遊技球を前記回収口に案内する回収位置まで回転させるように前記駆動手段を制御することを特徴とする請求項１または２記載の遊技機。
【請求項４】
前記役物に形成され、前記遊技領域を流下する遊技球を前記役物内に導入する導入開口と、
前記役物に設けられ、前記導入開口を遮蔽する遮蔽位置と開放する開放位置との間で開閉自在な羽根部材と、
前記羽根部材を開閉させる開閉手段と、
前記遊技球が入賞したときに前記開閉手段により前記羽根部材を開閉させる入賞口と、を備え、
前記駆動制御手段は、前記羽根部材が閉じてから予め設定された設定時間経過後に、前記回転体を前記回収位置まで回転させるように前記駆動手段を制御することを特徴とする請求項３記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
現在、遊技場に設置されるパチンコ機は、本体枠に遊技盤が装着されており、この遊技盤には、各種入賞口や入賞球装置、複数の釘などが設けられた遊技領域があり、球発射装置で発射されたパチンコ球をこの遊技領域で流下させることによってゲームが行われる。
【０００３】
羽根物と称されるパチンコ機では、遊技領域に役物が設けられ、この役物内に設けられた入賞口にパチンコ球が入賞すると当りとなる。役物には、役物内部にパチンコ球を導入するための導入開口が設けられ、この導入開口は、羽根部材により遮蔽されている。この羽根部材は、導入開口を遮蔽する遮蔽位置と、導入開口を開放する開放位置と、の間で開閉自在に設けられており、通常時は遮蔽位置に位置する。遊技領域には、羽根部材を開放する契機となる開放チャッカーが設けられており、開放チャッカーにパチンコ球が入賞すると、羽根部材が所定時間開放し、導入開口から役物内部に入ったパチンコ球が、入賞口に入賞すると、当りとなる。このようなパチンコ機では、役物内部に回転体を設け、この回転体に４５°ピッチで８個の開口を設け、８個の開口のうちの１個を入賞口とし、残りの７個の開口をハズレ開口とするものが考えられる。
【０００４】
特許文献１では、開放チャッカーを複数設けるとともに、クルーンに向けてパチンコ球を案内する案内通路を複数設け、いずれの開放チャッカーに入賞したかによりパチンコ球を案内させる案内通路を切り換えることにより、遊技に対する趣向性を向上させた弾球遊技球が提案されている。
【特許文献１】特開２００６−２３９３０７号公報
【発明の開示】
【発明が解決しようとする課題】
【０００５】
しかしながら、特許文献１では、パチンコ球が役物内に入ってから、複数の開口のいずれかに入るまでの時間は略一定であり、さらには、回転体は一定速度で回転しているため、遊技者は、パチンコ球が役物内に入った瞬間に、パチンコ球が入賞口に入賞するか否かを判別することができる。このため、入賞口に入賞しないタイミングでパチンコ球が役物内に入ったときには、遊技者は、当りへの期待感を持つことができないという問題があった。
【０００６】
本発明は、上記課題を解決するためになされたものであり、当りへの期待感を持続させることができる遊技機を提供することを目的とする。
【課題を解決するための手段】
【０００７】
上記目的を達成するために、本発明の遊技機は、遊技領域に向けて遊技球を発射する球発射装置と、前記遊技領域に設けられ、前記遊技領域を流下する前記遊技球が導入される役物と、前記役物内に設けられ、前記役物内に導入された前記遊技球が入る当り口と、前記遊技球が前記当り口に入ったことに応答して、通常モードから前記通常モードよりも有利な当りモードに移行させるモード制御手段とを備えた遊技機において、前記役物内に設けられ、前記役物内に導入された遊技球を前記当り口に向けて案内する案内通路と、前記役物内に回転自在に設けられ、外周面が前記案内通路の一部を構成する回転体と、前記回転体を回転させる駆動手段と、前記回転体の外周面に形成され、前記回転体に向けて案内される遊技球を貯留するとともに、前記遊技球を貯留しているときに前記回転体に向けて案内される後続の遊技球が前記貯留した遊技球に当接して前記当り口に向けて案内されるように形成された貯留凹部と、前記駆動手段を制御する駆動制御手段と、を備えたことを特徴とする。なお、前記回転体としては、円盤、球体等が挙げられる。また、前記貯留凹部を複数設けることが好ましい。
【０００８】
また、前記駆動制御手段は、前記回転体を、前記回転体に向けて案内される遊技球を前記貯留凹部が貯留する貯留位置と、前記回転体に向けて案内される遊技球を前記貯留凹部が貯留しない非貯留位置との間で回転させるように前記駆動手段を制御することが好ましい。なお、前記回転体が前記非貯留位置に位置するときに、前記回転体に向けて案内された遊技球は、前記回転体の前記貯留凹部が形成されていない部分に当たって、前記当り口に向けて案内される。
【０００９】
さらに、前記貯留凹部に貯留した遊技球が回収される回収口を備え、前記駆動制御手段は、前記回転体を、前記貯留凹部に貯留した遊技球を前記回収口に案内する回収位置まで回転させるように前記駆動手段を制御することが好ましい。
【００１０】
また、前記役物に形成され、前記遊技領域を流下する遊技球を前記役物内に導入する導入開口と、前記役物に設けられ、前記導入開口を遮蔽する遮蔽位置と開放する開放位置との間で開閉自在な羽根部材と、前記羽根部材を開閉させる開閉手段と、前記遊技球が入賞したときに前記開閉手段により前記羽根部材を開閉させる入賞口と、を備え、前記駆動制御手段は、前記羽根部材が閉じてから予め設定された設定時間経過後に、前記回転体を前記回収位置まで回転させるように前記駆動手段を制御することが好ましい。
【発明の効果】
【００１１】
本発明の遊技機によれば、回転体の貯留凹部に遊技球が貯留されているときに、後続の遊技球が回転体に向けて案内されたときには、後続の遊技球が貯留凹部に貯留された遊技球に当接して当り口に向けて案内されるから、当りへの期待感がない貯留凹部に遊技球が貯留された場合にも、遊技者は当りへの期待感を持続することができる。これにより、遊技者の遊技に対する興味を持続させることができる。
【００１２】
また、回転体を、貯留凹部が遊技球を貯留する貯留位置と、貯留凹部が遊技球を貯留せずに当り口に向けて案内する当り位置との間で回転させるから、より一層、遊技者の遊技に対する興味を持続させることができる。
【発明を実施するための最良の形態】
【００１３】
図１及び図２に示すように、遊技機の１実施例であり、羽根物パチンコ機と称されるパチンコ機２は、本体枠３の内部に遊技盤４が配設されており、本体枠３の前面には前面扉５が開閉自在に組み付けられている。前面扉５の下方には、打球供給用の供給皿６及びパチンコ球（遊技球）７の発射強さを調節する操作ハンドル８が設けられている。遊技盤４のパチンコ球７が発射される遊技領域４ａの略中央には、センター役物９が設けられている。パチンコ機２は、通常モードと、通常モードよりも有利となる当りモードと、が設けられている。
【００１４】
センター役物９の内部には、クルーン（回転体）１０が回転自在に設けられている。クルーン１０は、センター役物９に形成された役物開口９ａ（図１参照）を介して視認することができる。
【００１５】
センター役物９の左側端部には、センター役物９の内部にパチンコ球７を導入する左導入開口９ｂが形成され、センター役物９の右側端部には、センター役物９の内部にパチンコ球７を導入する右導入開口９ｃが形成されており、遊技領域４ａを流下するパチンコ球７は、各導入開口９ｂ，９ｃを通ってセンター役物９の内部に導入される。
【００１６】
センター役物９には、各導入開口９ｂ，９ｃから導入されたパチンコ球７を後方に誘導する誘導板９ｄが設けられている。センター役物９の内部には、誘導板９ｄにより誘導されたパチンコ球７を、球案内レール３０の入口３０ｂに向けて案内する案内部材（図示せず）が設けられている。各導入開口９ｂ，９ｃから導入されたパチンコ球７は、誘導板９ｄ及び案内部材を介して球案内レール３０の入口３０ｂ（図３参照）に案内される。
【００１７】
センター役物９の左側端部には、左導入開口９ｂを遮蔽する遮蔽位置（図１参照）と、左導入開口９ｂを開放する開放位置（図２参照）との間で開閉自在な左羽根部材１１が取り付けられている。センター役物９の右側端部には、右導入開口９ｃを遮蔽する遮蔽位置（図１参照）と、右導入開口９ｃを開放する開放位置（図２参照）との間で開閉自在な右羽根部材１２が取り付けられている。左羽根部材１１及び右羽根部材１２は、それぞれ羽根開閉用モータ（開閉手段）１８（図７参照）により開閉するように制御される。羽根開閉用モータ１８は制御基板４０のＣＰＵ４１（図７参照）に接続され、ＣＰＵ４１により駆動が制御される。
【００１８】
センター役物９の下方には、左開放チャッカー１３、中央開放チャッカー１４、右開放チャッカー１５、アウト口１６が設けられている。遊技者は、供給皿６にパチンコ球７を投入してパチンコ球７を供給皿６内に設けられた誘導路を介して球発射装置１７（図７参照）へと導き、回動式の操作ハンドル８を所定量回動して球発射装置１７の駆動を制御することで、遊技盤４の遊技領域４ａの上方に向けてパチンコ球７を発射させる。発射されたパチンコ球７は遊技領域４ａの上方から流下する途中でセンター役物９内部及び各開放チャッカー１３〜１５のいずれかに入るか、あるいはアウト口１６から回収される。なお、パチンコ機２の遊技領域４ａに設けられている複数の釘、風車などの構造体は公知であるので説明は省略する。
【００１９】
左開放チャッカー１３の内部には左入賞検知センサ２３が、中央開放チャッカー１４の内部には中央入賞検知センサ２４が、右開放チャッカー１５の内部には右入賞検知センサ２５が、それぞれ設けられている（図７参照）。各入賞検知センサ２３〜２５は、パチンコ球７の入賞を検知するものであり、パチンコ球７の入賞を検知したことに応答して、ＣＰＵ４１にチャッカー入賞信号を出力する。
【００２０】
ＣＰＵ４１は、左入賞検知センサ２３及び右入賞検知センサ２５からチャッカー入賞信号が入力されたことに応答して、羽根開閉用モータ１８の駆動を制御して、各羽根部材１１，１２を、所定時間（例えば、０．５秒）開放して閉じる開閉動作を行う。遊技者は、各羽根部材１１，１２が開放している間に、パチンコ球７が各羽根部材１１，１２を転動して各導入開口９ｂ，９ｃに入るように、パチンコ球７を発射させる。なお、各羽根部材１１，１２を０．５秒開放して閉じる開閉動作とは、遮蔽位置に位置する各羽根部材１１，１２を開放位置まで変位させた後、遮蔽位置まで変位させるまでの時間が０．５秒であることを示している。また、各羽根部材１１，１２は、羽根開閉用モータ１８の駆動により、遮蔽位置から開放位置まで変位するために０．１秒、開放位置から遮蔽位置まで変位するために０．１秒かかるようにされている。このため、各羽根部材１１，１２を０．５秒開放して閉じるときには、各羽根部材１１，１２は０．３秒開放位置に位置することとなる。
【００２１】
ＣＰＵ４１は、中央入賞検知センサ２４からチャッカー入賞信号が入力されたことに応答して、羽根開閉用モータ１８の駆動を制御して、各羽根部材１１，１２を０．５秒開放して閉じる開閉動作を２回繰り返す。
【００２２】
図３及び図４に示すように、センター役物９の内部には、クルーン１０と、導入されたパチンコ球７を当り口３１に向けて案内する案内通路３０ａを形成する球案内レール３０とが設けられている。クルーン１０の外周面には、第１貯留凹部１０ａ、第２貯留凹部１０ｂ、第３貯留凹部１０ｃが、３６°ピッチで形成されている。第１〜第３貯留凹部１０ａ〜１０ｃは、パチンコ球７を１個のみ貯留可能なサイズで、且つ、パチンコ球７を貯留しているときにクルーン１０に向けて案内される後続のパチンコ球７が前記貯留したパチンコ球７に当接して当り口３１に向けて案内されるように形成されている。
【００２３】
案内通路３０ａの下流側には、パチンコ球７が入賞したことにより当りとなる当り口３１が形成されている。案内通路３０ａは、上流側の入口３０ｂから下流側の当り口３１に向けて下方に傾斜して形成されており、入口３０ｂに導入されたパチンコ球７は、当り口３１に向けて案内される。球案内レール３０は、断面略コ字状となるように、両側端部にリブ３０ｃが立設されている。
【００２４】
案内通路３０ａには、クルーン１０の一部が挿入される挿入開口３０ｄが形成されている。図４に示すように、挿入開口３０ｄにクルーン１０を挿入すると、クルーン１０の外周面が案内通路３０ａの一部を形成することとなる。案内通路３０ａの挿入開口３０ｄよりも上流側の部分を上流側案内通路３０ｅ、案内通路３０ａの挿入開口３０ｄよりも下流側の部分を下流側案内通路３０ｆと称して説明を行う。
【００２５】
パチンコ球７が各導入開口９ｂ，９ｃから導入されてから、誘導板９ｄ及び案内部材（図示せず）を介して上流側案内通路３０ｅを案内されて、挿入開口３０ｄに到達するまでの時間は、３秒程度となるように、誘導板９ｄ、案内部材及び球案内レール３０は形成されている。
【００２６】
図５に示すように、クルーン１０は、クルーン回転用モータ（駆動手段）３３により回転される。クルーン回転用モータ（駆動手段）３３は、ＣＰＵ（駆動制御手段）４１に接続されており、ＣＰＵ４１により駆動が制御される。ＣＰＵ４１は、通常モード時には、クルーン１０が、上流側案内通路３０ｅを案内されて挿入開口３０ｄに到達したパチンコ球７を第１貯留凹部１０ａに貯留する第１貯留位置（図５（Ａ））から、パチンコ球７を第２貯留凹部１０ｂに貯留する第２貯留位置（図５（Ｂ））を介して、パチンコ球７を第３貯留凹部１０ｃに貯留する第３貯留位置（図５（Ｃ））までの間で揺動（回転）するように、クルーン回転用モータ３３の駆動を制御する。なお、クルーン１０は、回転したときに球案内レール３０に接触しないように取り付けられている。
【００２７】
各導入開口９ｂ，９ｃから導入されたパチンコ球７は、誘導板９ｄ及び案内部材（図示せず）を介して球案内レール３０の入口３０ｂに案内される。入口３０ｂに案内されたパチンコ球７は、上流側案内通路３０ｅを案内される。上流側案内通路３０ｅを案内されるパチンコ球７は、クルーン１０の第１〜第３貯留凹部１０ａ〜１０ｃのいずれかに入るか、クルーン１０の外周面に当たって、下流側案内通路３０ｆに送られ、下流側案内通路３０ｆにより当り口３１に向けて案内される。なお、上流側案内通路３０ｅを案内されるパチンコ球７が、クルーン１０の外周面に当たって跳ねた場合、及び第１〜第３貯留凹部１０ａ〜１０ｃに貯留されたパチンコ球７に当たって跳ねた場合にも、パチンコ球７が、案内通路１０ａから落下せずに、下流側案内通路３０ｆに送られるように、案内通路３０ａの上方は、図示しないカバーにより覆われている。
【００２８】
図６に示すように、センター役物９の内部には、クルーン１０の第１〜第３貯留凹部１０ａ〜１０ｃに貯留されたパチンコ球７を回収する回収ボックス３４が設けられている。ＣＰＵ４１は、各羽根部材１１，１２が閉じてから予め設定された設定時間（パチンコ球７が導入開口９ｂ，９ｃに導入されてから、挿入開口３０ｄに到達するまでの時間（３秒）に例えば２秒加算した時間（５秒））経過後に、クルーン１０を、図６に示す回収位置まで回転させる。クルーン１０が回収位置まで回転されると、第１〜第３貯留凹部１０ａ〜１０ｃに貯留されたパチンコ球７は、回収ボックス３４の回収口３４ａに回収される。
【００２９】
当り口３１には、パチンコ球７を検知する当り入賞検知センサ３６（図７参照）が設けられており、当り入賞検知センサ３６は、パチンコ球７を検知したことに応答して、制御基板４０のＣＰＵ４１に当り入賞検知信号を出力する。ＣＰＵ４１は、当り入賞検知信号が入力されたことに応答して、パチンコ機２を当りモードに移行させる。本実施形態では、ＣＰＵ４１は、パチンコ球７が当り口３１に入賞したことに応答して、通常モードから、通常モードよりも有利な当りモードに移行させる当り制御手段としても機能する。
【００３０】
センター役物９内には、各導入開口９ｂ，９ｃを通過したパチンコ球７を検知する役物入賞検知センサ３７（図７参照）が設けられている。役物入賞検知センサ３７は、パチンコ球７を検知したことに応答して、制御基板４０のＣＰＵ４１に役物入賞検知信号を出力する。そして、ＣＰＵ４１は、役物入賞検知信号が入力されたことに応答して、所定数量（例えば、１０発）のパチンコ球７を供給皿６に払い出す制御を行う。
【００３１】
図７に示すように、パチンコ機２の内部に配された制御基板４０には、ＣＰＵ（駆動制御手段）４１、ＲＡＭ４２が設けられている。ＲＡＭ４２には、パチンコ機２での制御に係る制御データ記憶されており、ＣＰＵ４１は、ＲＡＭ４２に記憶された制御データを読み込んでパチンコ機２の制御を行う。羽根開閉用モータ１８、クルーン回転用モータ３３、ＲＡＭ４２は、ＣＰＵ４１に接続されており、ＣＰＵ４１により駆動が制御される。
【００３２】
ＣＰＵ４１は、各入賞検知センサ２３〜２５からチャッカー入賞信号が入力されたことに応答して、羽根開閉用モータ１８の駆動を制御して、各羽根部材１１，１２の開閉動作を行う。
【００３３】
パチンコ球７が当り口３１に入賞したときには、当りとなり、ＣＰＵ４１は、各羽根部材１１，１２を、所定時間（例えば、０．５秒）開放して閉じる開閉動作を１８回行うか、パチンコ球７が各導入開口９ｂ，９ｃから１０発導入された（ＣＰＵ４１に、役物入賞検知センサ５９から役物入賞検知信号が１０回入力された）ことを１ラウンドとして、これを１５ラウンド継続する当りモードに移行させる。
【００３４】
当りモード中には、各羽根部材１１，１２の開閉動作が１８回行われるか、パチンコ球７が各導入開口９ｂ，９ｃから１０発導入されたことに応答して、ＣＰＵ４１は、次のラウンドに移行するように制御する。
【００３５】
１５ラウンドでは、パチンコ球７の当り口３１への入賞の有無に関わらず、各羽根部材１１，１２の開閉動作が１８回行われるか、パチンコ球７が各導入開口９ｂ，９ｃから１０発導入されたことに応答して、ＣＰＵ４１は、当りモードを終了する。
【００３６】
上記のように構成されたパチンコ機２の作用について説明を行う。ＣＰＵ４１は、各入賞検知センサ２３〜２５からチャッカー入賞信号が入力されたこと（各開放チャッカー１３〜１５にパチンコ球７が入賞したこと）に応答して、羽根開閉用モータ１８の駆動を制御して、各羽根部材１１，１２の開閉動作を行う。各羽根部材１１，１２が開放している間に、パチンコ球７が各羽根部材１１，１２を転動して各導入開口９ｂ，９ｃに導入されると、導入されたパチンコ球７は、誘導板９ｄ及び案内部材（図示せず）を介して、球案内レール３０の入口３０ｂに案内される。
【００３７】
入口３０ｂに案内されたパチンコ球７は、上流側案内通路３０ｅを案内される。上流側案内通路３０ｅを案内されるパチンコ球７は、クルーン１０の第１〜第３貯留凹部１０ａ〜１０ｃのいずれかに入るか、クルーン１０の外周面に当たって跳ねて、下流側案内通路３０ｆに送られ、下流側案内通路３０ｆにより当り口３１に向けて案内される。
【００３８】
図８に示すように、上流側案内通路３０ｅを案内されるパチンコ球７が、上流側案内通路３０ｅを案内されて挿入開口３０ｄに到達したときに、クルーン１０が、第１貯留位置と第２貯留位置との中間の位置となる第１送り出し位置（図８（Ａ）参照）に位置するとき、及び、第２貯留位置と第３貯留位置との中間の位置となる第２送り出し位置（図８（Ｂ）参照）に位置するときには、パチンコ球７はクルーン１０の外周面に当たって跳ねて、下流側案内通路３０ｆに送られ、当り口３１に向けて案内される。本実施形態では、上記第１，第２送り出し位置が、クルーン１０に向けて案内されるパチンコ球７を第１〜第３貯留凹部１０ａ〜１０ｃが貯留しない非貯留位置となる。
【００３９】
上流側案内通路３０ｅを案内されて挿入開口３０ｄに到達したパチンコ球７は、クルーン１０が第１貯留位置に位置するときには第１貯留凹部１０ａに貯留され、クルーン１０が第２貯留位置に位置するときには第２貯留凹部１０ｂに貯留され、クルーン１０が第３貯留位置に位置するときには第３貯留凹部１０ｃに貯留される（図５参照）。
【００４０】
図９に示すように、各導入開口９ｂ，９ｃに２個のパチンコ球７（以下、先行するパチンコ球７、後続するパチンコ球７と称する）が導入され、先行するパチンコ球７が第１貯留凹部１０ａに貯留された状態で、クルーン１０が第１貯留位置（図５（Ａ）参照）に位置するときに、後続するパチンコ球７が上流側案内通路３０ｅを案内されて挿入開口３０ｄに到達すると、後続するパチンコ球７は、第１貯留凹部１０ａに貯留された先行するパチンコ球７に当たって跳ねて、下流側案内通路３０ｆに送られ、当り口３１に入賞する。
【００４１】
同様にして、先行するパチンコ球７が第２貯留凹部１０ｂに貯留された状態で、クルーン１０が第２貯留位置（図５（Ｂ）参照）に位置するときに、後続するパチンコ球７が挿入開口３０ｄに到達すると、後続するパチンコ球７は、第２貯留凹部１０ｂに貯留された先行するパチンコ球７に当たって跳ね、下流側案内通路３０ｆに送られて、当り口３１に入賞する。また、先行するパチンコ球７が第３貯留凹部１０ｃに貯留された状態で、クルーン１０が第３貯留位置（図５（Ｃ）参照）に位置するときに、後続するパチンコ球７が挿入開口３０ｄに到達すると、後続するパチンコ球７は、第３貯留凹部１０ｃに貯留された先行するパチンコ球７に当たって跳ね、下流側案内通路３０ｆに送られて、当り口３１に入賞する。
【００４２】
このように、センター役物９の内部に入った先行するパチンコ球７が、クルーン１０の第１〜第３貯留凹部１０ａ〜１０ｃのいずれかに貯留されたときにも、後続するパチンコ球７が、第１〜第３貯留凹部１０ａ〜１０ｃのいずれかに貯留された先行するパチンコ球７に当たって跳ねて、当り口３１に入賞することがあるため、先行するパチンコ球７が当り口３１に入賞しなかった場合に、先行するパチンコ球７が当り口３１への入賞に係わることがないパチンコ機に比べて、遊技者は、当りへの期待感を持つことができ、遊技者の遊技に対する興味を持続させることができる。
【００４３】
また、クルーン１０は、第１貯留位置から第３貯留位置までの間で回転するから、挿入開口３０ｄに到達したパチンコ球７が、第１〜第３貯留凹部１０ａ〜１０ｃに貯留されることもあれば、クルーン１０の周面に当たって跳ねて当り口３１に入賞することもある。これにより、より一層、遊技者の遊技に対する興味を持続させることができる。
【００４４】
なお、上記実施形態では、クルーン１０の外周面に、第１〜第３貯留凹部１０ａ〜１０ｃを３６°ピッチで形成したが、貯留凹部の数量及びピッチは、３個及び３６°に限定されることなく、適宜変更可能である。
【００４５】
また、上記実施形態では、下流側案内通路３０ｆの下流側に当り口３１を形成し、下流側案内通路３０ｆを案内されるパチンコ球７を全て当り口３１に入賞させるようにしたが、下流側案内通路３０ｆの下流側に、当り口３１に加えてハズレ口を形成し、下流側案内通路３０ｆを案内されるパチンコ球７が、当り口３１とハズレ口とのいずれかに入るようにしてもよい。この場合には、パチンコ球７の下流側案内通路３０ｆでの転動形態に応じて、当り口３１に入るかハズレ口に入るかが決まる。
【００４６】
さらに、上記実施形態では、クルーン１０を、案内通路３０ａにおけるパチンコ球７を案内する案内方向に直交する方向を回転軸方向として回転させるようにしたが、クルーン１０を、上記案内方向を回転軸方向として回転させるようにしてもよく、クルーン１０の回転中心となる回転軸方向は、適宜変更可能であり、クルーン１０を、上下方向を回転軸方向として回転させるようにしてもよい。
【００４７】
また、上記実施形態では、羽根物パチンコ機と称されるパチンコ機２に本発明を実施したが、一発台と称されるパチンコ機やデジパチと称されるパチンコ機に実施するようにしてもよい。
【図面の簡単な説明】
【００４８】
【図１】本発明を実施したパチンコ機の外観を示す斜視図である。
【図２】羽根部材が開放位置に位置するときのパチンコ機を示す斜視図である。
【図３】クルーンと球案内レールとを示す分解斜視図である。
【図４】パチンコ球とクルーンと球案内レールとを示す斜視図である。
【図５】パチンコ球とクルーンと球案内レールとを示す側面図である。
【図６】パチンコ球とクルーンと球案内レールと回収ボックスとを示す側面図である。
【図７】パチンコ機の電気的構成を示す機能ブロック図である。
【図８】パチンコ球とクルーンと球案内レールとを示す側面図である。
【図９】パチンコ球とクルーンと球案内レールとを示す側面図である。
【符号の説明】
【００４９】
２  パチンコ機（遊技機）
４  遊技盤
４ａ  遊技領域
７  パチンコ球（遊技球）
９  センター役物
９ｂ  左導入開口
９ｃ  右導入開口
１０  クルーン（回転体）
１１  左羽根部材
１２  右羽根部材
１３  左開放チャッカー（入賞口）
１４  中央開放チャッカー（入賞口）
１５  右開放チャッカー（入賞口）
１７  球発射装置
１８  羽根開閉用モータ（開閉手段）
１０ａ〜１０ｃ  第１〜第３貯留凹部
３０  球案内レール
３０ａ  案内通路
３１  当り口
３３  クルーン回転用モータ（駆動手段）
３４  回収ボックス
３４ａ  回収口
４１  ＣＰＵ（駆動制御手段）
【図１】
2008245900.tif 000003
【図２】
2008245900.tif 000004
【図３】
2008245900.tif 000005
【図４】
2008245900.tif 000006
【図５】
2008245900.tif 000007
【図６】
2008245900.tif 000008
【図７】
2008245900.tif 000009
【図８】
2008245900.tif 000010
【図９】
2008245900.tif 000011